(57)【要約】【課題】本発明は、被写体と撮像装置本体とを結ぶ直線に対する光源の光軸の照射角度が９０度を超える位置にストロボ本体部をバウンスさせた場合でも、新たに光源を設けることなく、簡単な構成で、光源からの光を被写体に照射することができて、キャッチアイ撮影を行うことができるストロボ装置および撮像装置を得る。【解決手段】本発明のストロボ装置は、撮像装置本体１に連結されるストロボ本体部８と、ストロボ本体部８に回転可能に連結される発光部１０とを備えたストロボ装置において、前記発光部１０は、光源１００と、光源１００からの光を反射させる反射傘１０１と、これらを収容したケース１０２とを備え、ケース１０２は、反射傘１０１からの反射光を透過させる第一照射部１０３と、第一照射部１０３の光の照射方向に対して交差する方向に照射する第二照射部１０５とを有する。【選択図】図２
2015094792.tif 000002
【特許請求の範囲】
【請求項１】
撮像装置本体に連結されるストロボ本体部と、ストロボ本体部に回転可能に連結される発光部とを備えたストロボ装置において、
前記発光部は、光源と、光源からの光を反射させる反射傘と、これらを収容したケースとを備え、
ケースは、反射傘からの反射光を透過させる第一照射部と、第一照射部の光の照射方向に対して交差する方向に照射する第二照射部とを有することを特徴とするストロボ装置。
【請求項２】
ケース内に配置された反射板であって、光源からの光を第二照射部に向けて反射させる反射板を備えることを特徴とする請求項１に記載のストロボ装置。
【請求項３】
光源からの光を第二照射部に導く光ファイバを備えることを特徴とする請求項１に記載のストロボ装置。
【請求項４】
被写体と撮像装置本体とを結ぶ直線に対する光源の光軸の照射角度を測定する照射角度測定手段と、
第二照射部を開閉する開閉手段と、
前記照射角度が９０度を超えたときに、開閉手段を駆動させて第二照射部を開放する制御手段とを備えることを特徴とする請求項１乃至請求項３のいずれか１項に記載のストロボ装置。
【請求項５】
前記請求項１乃至請求項４のいずれか１項に記載のストロボ装置を備えたことを特徴とする撮像装置。
【発明の詳細な説明】
【技術分野】
【０００１】
本発明は、バウンス撮影できるように、発光部がストロボ本体部に回転可能に連結されたストロボ装置及びストロボ装置を備えた撮像装置に関する。
【背景技術】
【０００２】
従来から、より自然な画像を得るために、ストロボ装置の発光部からの光を天井や壁などの反射体に照射させ、その光を間接光として被写体に照射して撮影するバウンス撮影が行われている。
【０００３】
バウンス撮影に使用されるストロボ装置には、種々のタイプのものがあるが、何れも、
ストロボ本体部と、発光部とを備える。
【０００４】
ストロボ本体部は、撮像装置本体に連結される。
【０００５】
発光部は、光源と、光源からの光を反射させる反射傘と、光源及び反射傘を有するケースとを備える。
【０００６】
ケースは、ストロボ本体部に回転可能に連結され、光を外部に向けて照射する照射部を有する。
【０００７】
光源には、閃光放電管が使用されている。
【０００８】
反射傘は、閃光放電管からの光を照射部に向けて反射させる。
【０００９】
そして、この種のストロボ装置は、ストロボ本体部に対する発光部の回転角度を変更することで、ケースの照射部の向き（光の照射方向）を変更できるようになっている。
【００１０】
また、この種のストロボ装置は、キャッチシートを備える。該キャッチシートは、光源の光軸に対して平行又は略平行に移動可能に設けられ、ケースの照射部の前方領域に対して出退可能に設けられる。キャッチシートは、常態でケース内部に収容され、必要に応じて、ケースから前方領域に引き出される。
【００１１】
そして、この種のストロボ装置でバウンス撮影する場合、ストロボ装置において、図９（ａ）に示す如く、発光部１０の第一照射部１０３は、被写体Ｘと正対させずに、天井や壁などの反射体Ｂのある方向に向けられる。この際、被写体Ｘへの光量を多くする必要があるとき、キャッチシート１１が第一照射部１０３の前方領域に引き出される。
【００１２】
これにより、バウンス撮影時において、天井や壁などの反射体Ｂで反射して被写体Ｘに向けて照射される光と、キャッチシート１１で反射して被写体Ｘに向けて照射される光とを得ることができ、バウンス撮影（間接照明による撮影）であっても、キャッチシート１１で反射した光により、被写体Ｘの瞳が生き生きとした写真撮影（キャッチアイ撮影）をすることができる（特許文献１参照）。
【００１３】
ところで、この種のストロボ装置２は、バウンス撮影する際の照射角度（被写体Ｘと撮像装置本体（又は光源）１とを結ぶ直線に対する光源の光軸の角度）が９０度を超える場合、キャッチシート１１による反射光が被写体Ｘに向かって照射されにくく、あるいは、されない状態になり、好適なキャッチアイ撮影ができなくなるといった問題がある。
【００１４】
この問題を解消すべく、補助光源をストロボ本体部に別途設けたものが知れている（特許文献２参照）。この補助光源は、キャッチアイ撮影するための補助光を被写体に対して照射する。
【００１５】
そして、この種のストロボ装置２は、第一照射部１０３を天井等の反射体Ｂに向けたとき（光源１００の光を反射体Ｂに照射するとき）に、前記照射角度が所定角度（９０度）以上であるか否かを検知し、照射角度が所定角度以上の場合、補助光源１００ａの光量を調整して、被写体Ｘに向かって照射するようになっている（図９（ｂ）参照）。
【先行技術文献】
【特許文献】
【００１６】
【特許文献１】実開平６−２３４５号公報
【特許文献２】特開２０１０−１３４０９１号公報
【発明の概要】
【発明が解決しようとする課題】
【００１７】
しかし、この種のストロボ装置は、前記照射角度の検知と、補助光源１００ａの光量の調整と、補助光源１００ａの発光とを制御しなければならず、これらの構造や制御が複雑である。
【００１８】
そこで、本発明は、かかる事情に鑑み、被写体と撮像装置本体とを結ぶ直線に対して光源の光軸の照射角度が９０度を超える位置に光源の光を照射してバウンス撮影した場合でも、新たに光源を設けることなく、簡単な構成で、光源からの光を被写体に照射することができて、キャッチアイ撮影を行うことができるストロボ装置及びストロボ装置を備えた撮像装置を提供することを目的とする。
【課題を解決するための手段】
【００１９】
本発明のストロボ装置は、撮像装置本体に連結されるストロボ本体部と、ストロボ本体部に回転可能に連結される発光部とを備えたストロボ装置において、前記発光部は、光源と、光源からの光を反射させる反射傘と、これらを収容したケースとを備え、ケースは、反射傘からの反射光を透過させる第一照射部と、第一照射部の光の照射方向に対して交差する方向に照射する第二照射部とを有することを特徴とする。
【００２０】
かかる構成によれば、第一照射部を壁や天井等の反射体に向けてバウンス撮影する際に、光源からの光を被写体側に向けて透過させる第二照射部をケースに設けるようにしたので、キャッチシートや補助光源がなくても、被写体に十分な光が照射され、簡単な構成で好適なキャッチアイ撮影することができる。
【００２１】
また、請求項２に係る発明は、ケース内に配置された反射板であって、光源からの光を第二照射部に向けて反射させる反射板を備えるようにしてもよい。
【００２２】
かかる構成によれば、光源からの光を反射板によって第二照射部から被写体に向けて確実に反射させることができる。
【００２３】
さらに、請求項２に係る発明のケース内に配置された反射板は第二照射部から照射される光の光軸を調整するためにその角度が変更できるようにしてもよい。
【００２４】
また、反射板に集光或は拡散のためのレンズなどを設けてもよい。
【００２５】
また、請求項３に係る発明は、光源からの光を第二照射部に導く光ファイバ等の導光部材を備えるようにしてもよい。
【００２６】
かかる構成によれば、光源からの光を光ファイバ等の導光部材によって第二反射部に確実に導くことができる。
【００２７】
また、請求項４に係る発明は、被写体と撮像装置本体とを結ぶ直線に対する光源の光軸の照射角度を測定する照射角度測定手段と、第二照射部を開閉する開閉手段と、前記照射角度が９０度を超えたときに、開閉手段を駆動させて第二照射部を開放する制御手段とを備えるような構成を採用することもできる。
【００２８】
かかる構成によれば、前記照射角度が９０度を超えたときに、開閉手段を駆動させて第二照射部を開放するようにしたので、自動制御によってキャッチアイ撮影することができる。
【００２９】
また、本発明の撮像装置は、前記いずれかのストロボ装置を備えたことを特徴とする。
【００３０】
かかる構成によれば、前記照射角度が９０度を超えたバウンス撮影であっても、光源からの光を被写体に照射することができて、好適なキャッチアイ撮影を行うことができる。
【発明の効果】
【００３１】
以上のように、本発明によれば、複数の光源を設けることなく、被写体と光源とを結ぶ直線に対する光源の光軸の照射角度が９０度を超えたバウンス撮影でも、簡単な構成で、光源からの光を被写体に照射することができて、キャッチアイ撮影を行うことができる。
【図面の簡単な説明】
【００３２】
【図１】本発明の一実施形態に係る撮像装置の構成を示すブロック図
【図２】同実施形態に係るストロボ装置の側面図
【図３】同実施形態に係るストロボ装置の要部を示す斜視図
【図４】同実施形態に係るストロボ本体部を通常の撮影位置からバウンス撮影する状態を示す図
【図５】同実施形態に係るストロボ装置において、キャッチシートを進出させて、バウンス撮影する状態を示す説明図
【図６】同実施形態に係るストロボ装置において、第二照射部から被写体に向かって照射する状態を示す図
【図７】同実施形態に係るストロボ装置において、光源の光を第二照射部に導くべく、反射傘と第二照射部との間を光ファイバで接続した図
【図８】同実施形態に係るストロボ装置において、第二照射部にシャッターを設けた図
【図９】（ａ）は、従来のストロボ装置のバウンス撮影する状態を示す図、（ｂ）は、新たに光源を設けてキャッチアイ撮影する状態を示す図
【発明を実施するための形態】
【００３３】
本発明の一実施形態について、図１〜図６を参酌しつつ、説明する。
【００３４】
本実施形態に係る撮像装置Ａは、図１に示すように、撮像装置本体１と、被写体に照射光を照射するストロボ部（以下、ストロボ装置という場合もある。）２とを備える。そして、撮像装置本体１にストロボ装置２を装着可能に構成されている。
【００３５】
また、撮像装置本体１は、被写体を撮像する撮影機能部３と、ストロボ装置２および撮影機能部３を制御する演算部４と、被写体を撮像した画像などを表示する表示部５と、撮影条件の設定や電源のオン／オフを切り換えるための操作部６と、周辺機器との間で画像データなどを入出力するためのインターフェース７とを備えている。
【００３６】
ストロボ装置２は、図２〜図５に示すように、ストロボ本体部８と、発光部１０と、キャッチシート１１と、照射角度測定手段１５Ａと、照射角度調整手段１５Ｂと、制御手段１７と、操作部１８とを備えている。ここでいう、照射角度とは、被写体と撮像装置本体１とを結ぶ直線に対する光源の光軸の角度をいう（以下、単に照射角度という場合もある）。
【００３７】
ストロボ本体部８は、回転軸９を有する基台用ケースを備える。該基台用ケースは、直方体形状を呈しており、基台用ケースの上面側に回転軸９が設けられている。そして、回転軸９に発光部１０が回転可能に連結される。また、基台用ケースの下面側に撮像装置本体１が連結可能に構成されている。また、ストロボ本体部８は、前面が撮像装置本体１の撮影方向Ｃ（撮像レンズの光軸方向）を向くように撮像装置本体１に連結される。
【００３８】
発光部１０は、光源１００と、反射傘１０１と、光源１００及び反射傘１０１を有するケース１０２とを備える。そして、発光部１０は、さらに反射板９０を備える。
【００３９】
光源１００としては、閃光放電管が使用される（以下、閃光放電管１００とする）。
【００４０】
反射傘１０１は、閃光放電管１００の管軸に直交する垂直断面が略Ｕ字状の湾曲形状を呈しており、閃光放電管１００の光を反射して外部に照射させる。また、反射傘１０１は、前方に開口した前方開口部１０１ａと、両側端部に側方開口部１０１ｂとを有している。また、反射傘１０１の湾曲頂部１０１ｃに閃光放電管１００からの光を得るための透孔１０１ｄが形成されている。
【００４１】
反射板９０は、ストロボ本体部８に対する閃光放電管１００の照射角度が９０度を超えた場合、反射傘１０１の透孔１０１ｄからの光を、後述するケース１０２の第二照射部１０５に向けて反射させ、その反射光を被写体に照射するように、所定角度をもって取り付けられている（図５参照）。そして、反射板９０は、回転軸９の回転に連動して回転するようになっている。
【００４２】
そして、発光部１０は、図４に示す如く、制御手段１７によって、発光部１０の幅方向ｄ（図３参照）に沿って設けられる回転軸９を中心にして、ストロボ本体部８に対して傾倒位置と起立位置との間を回動できるように構成されている。そうすることで、発光部１０は、被写体に対する閃光放電管１００の照射光の照射角度を変更できるようになっている。
【００４３】
ケース１０２は、第一照射部１０３と、収納部１０４と、第二照射部１０５とを備える。
【００４４】
第一照射部１０３は、ケース１０２の前面に形成された矩形状の開口部１０３ａと、該開口部１０３ａに取り付けられた透明の板１０３ｂとを有する。そして、第一照射部１０３は、通常撮影の場合、閃光放電管１００からの照射光を外部へ照射する。
【００４５】
収納部１０４は、ケース１０２の上部に形成され、キャッチシート１１を出し入れできるようになっている。
【００４６】
第二照射部１０５は、開口部と１０５ａと、透明の板１０５ｂとを有する。開口部１０５ａは、ケース１０２の被写体に対向する面に矩形状に形成されている。具体的には、ケース１０２の幅方向中心の回転軸９の近傍に四角形状に形成されている。そして、開口部１０５ａは、第一照射部１０３の光の照射方向に対して交差する方向に照射する。
【００４７】
透明の板１０５ｂは、開口部１０５ａに取り付けられている。
【００４８】
そして、第二照射部１０５は、バウンス撮影する場合の照射角度が９０度を超える場合、閃光放電管１００からの数％の光を被写体に照射し、キャッチアイ撮影をする。
【００４９】
キャッチシート１１は、閃光放電管１００の光軸方向に対して平行になるように、ケース１０２の収納部１０４に出退可能となるように収納されている。そして、キャッチシート１１は、キャッチアイ撮影する場合、及びバウンス撮影する場合において使用される。
【００５０】
照射角度測定手段１５Ａは、閃光放電管１００の中心と被写体とを結ぶ直線に対する閃光放電管１００の光軸の照射角度をセンサ（図示せず）で測定する。
【００５１】
照射角度調整手段１５Ｂは、バウンス撮影する際の閃光放電管１００の照射角度を、ストロボ本体部８に対する発光部１０の傾倒位置と起立位置との間で調整する。
【００５２】
制御手段１７は、測距部１７０と、演算部１７１と、記憶部１７２とを備える。
【００５３】
測距部１７０は、被写体までの距離の測定、閃光放電管１００からの照射光を被写体に反射するための反射体（天井や壁など）Ｂまでの距離の測定を行う。
【００５４】
演算部１７１は、バウンス撮影する際の閃光放電管１００の照射角度の算出、被写体に対する照射光量の算出などが行われる。
【００５５】
記憶部１７２は、異なるバウンス条件を基に予め設定された発光部１０の配光特性の記憶、測距値の記憶、測定された閃光放電管１００の照射角度の記憶、角度調整された閃光放電管１００の照射角度の記憶を行う。
【００５６】
また、制御手段１７は、撮影モードを切り替え可能に構成されている。具体的に説明すると、撮影モードには、通常撮影モードとバウンス撮影モードとがある。
【００５７】
通常撮影モードでは、光軸が水平に位置するように、照射角度調整手段１６によって、ストロボ本体部８に対する閃光放電管１００の照射角度が調整される。すなわち、照射光が撮影方向Ｃ（被写体のある方向）に照射される。
【００５８】
バウンス撮影モードでは、照射光が天井などの反射体のある方向に照射されるように、発光部１０の傾斜角度が調整される。
【００５９】
つぎに本実施形態に係る撮像装置Ａのバウンス撮影モードの動作について説明する。ストロボ装置２は、初期状態として通常撮影モードが選択されている。このとき、ストロボ装置２の発光部１０は、図４の実線に示すように、照射方向が被写体に対向する方向（通常撮影位置）を向いているものとする。
【００６０】
この状態において、ユーザによって、通常撮影モードからバウンス撮影モードに切り替えられた場合、まず、制御手段１７は、図６に示す如く、反射体Ｂまでの距離を測定するとともに、被写体Ｘまでの距離を測定する。
【００６１】
そして、制御手段１７は、測距と同時に、照射角度測定手段１５Ａによって、被写体Ｘと閃光放電管１００の中心とを結ぶ直線に対する閃光放電管１００の光軸の照射角度を測定する。
【００６２】
つぎに、制御手段１７は、反射体Ｂまでの測距値、被写体Ｘまでの測距値、測定した閃光放電管１００の照射角度に基づいて、バウンス撮影する際の、ストロボ本体部８に対する閃光放電管１００の照射角度、及び被写体Ｘに対する照射光の光量を算出する。
【００６３】
そして、ストロボ本体部８に対する閃光放電管１００の照射角度が９０度を超えた場合、被写体Ｘに、反射傘１０１の透孔１０１ｄからの光が反射板９０によって反射されて、第二照射部１０５から被写体Ｘに向かって照射されるようになる。つまり、好適なキャッチアイ撮影が行われる。
【００６４】
このように、本実施形態に係る撮像装置Ａおよびストロボ装置２によれば、第一照射部１０３を反射体Ｂに向けてバウンス撮影する際に、ストロボ本体部８に対する閃光放電管１００の照射角度が９０度を超える場合、第二照射部１０５からの光を被写体Ｘに照射するようにしたので、簡単な構成で、好適なキャッチアイ撮影が行われるようになる。
【００６５】
なお、本発明に係るストロボ装置及びストロボ装置を備えた撮像装置は、前記実施形態に限定されるものではなく、本発明の要旨を逸脱しない範囲内において種々変更を加え得ることは勿論である。
【００６６】
例えば、前記実施形態の場合、反射傘１０１に形成された透孔１０１ｄからの光を利用するようにしたが、反射傘１０１の側方開口部１０１ｂからの光を利用するようにしてもよい。
【００６７】
また、前記実施形態の場合、反射傘１０１に形成された透孔１０１ｄからの光を反射板９０で反射させて、被写体Ｘに照射するようにしたが、図７に示す如く、反射傘１０１と第二照射部１０５との間を光ファイバ２０によって接続してもよい。かかる構成によれば、反射傘１０１からの光を光ファイバ２０によって第二照射部１０５に確実に導光することができる。
【００６８】
また、前記実施形態の場合、第二照射部１０５を常時開放するようにしたが、図８に示す如く、第二照射部１０５を開閉するシャッター２１と、該シャッター２１を駆動させる駆動手段２２とを設けて、ストロボ本体部８に対する閃光放電管１００の照射角度が９０度を超えた場合に、シャッター２１を駆動させて第二照射部１０５を開放するようにしてもよい。かかる構成によれば、自動制御によってキャッチアイ撮影することができる。
【産業上の利用可能性】
【００６９】
本発明に係るストロボ装置及び撮像装置は、ストロボ本体部に対する閃光放電管の照射角度が９０度を超えた場合、閃光放電管の光をキャッチアイ撮影する際に有効に活用することで、キャッチアイ撮影する装置に有効に活用できる。
【符号の説明】
【００７０】
１  撮像装置本体
２  ストロボ装置
８  ストロボ本体部
１０  発光部
２０  光ファイバ
２１  シャッター
２２  駆動手段
９０  反射板
１００  閃光放電管（光源）
１０１  反射傘
１０１ｄ  透孔
１０２  ケース
１０３  第一照射部
１０５  第二照射部
Ａ  撮像装置
Ｘ  被写体
【図１】
2015094792.tif 000003
【図２】
2015094792.tif 000004
【図３】
2015094792.tif 000005
【図４】
2015094792.tif 000006
【図５】
2015094792.tif 000007
【図６】
2015094792.tif 000008
【図７】
2015094792.tif 000009
【図８】
2015094792.tif 000010
【図９】
2015094792.tif 000011